Podtech/llm-jp-corpus-v4-ja_patent huggingface dataset:
(57)【要約】【課題】外出先での洗濯、米とぎなどを１つの袋で多様途に使用でき、周囲を漏らさず少量の水で行える手提げ付もみ洗い袋を提供する。【解決手段】非透水性で上部に開口部１がある手提げ部２付き袋であり、その袋の一端に網目４付きの液体排水口３を備え、ピンチクリップ５で上部の開口部１を閉じて使用する手提げ付もみ洗い袋である。【選択図】図１
2014200650.tif 000002
【特許請求の範囲】
【請求項１】
上部に開口部１がある手提げ部２付き袋であって、袋の一端に液体排水口３を備えたことを特徴とする手提げ付もみ洗い袋。
【請求項２】
請求項１記載の液体排水口３に網目４を備えたことを特徴とする手提げ付もみ洗い袋。
【請求項３】
請求項１記載にピンチクリップ５を備えたことを特徴とする手提げ付もみ洗い袋。
【発明の詳細な説明】
【技術分野】
【０００１】  本発明は、外出先での洗濯、米の洗浄などを行う多様性を備えた手提げ付もみ洗い袋に関する。
【背景技術】
【０００２】  従来の手提げ袋は、保存、運搬に限られて使用されている。【０００３】
【特許文献１】特開平２０１３−３４８０６号公報  特許文献１の手洗い洗濯用袋では、使用用途は同じであるが手提げ部が付いていないため、手でもみ洗いする際にフックに掛けての使用ができず不便である。また、液体排水口に網目がないため米とぎができず、使用用途が洗濯と限られていた。
【発明の開示】
【発明が解決しようとする課題】
【０００４】  解決しようとする課題は、外出先での洗濯、米とぎなどを１つの袋で多様途に使用でき、特に洗いから脱水まで周囲に液体を漏らさずに完結することを目的とする。
【発明を解決するための手段】
【０００５】  そのため、本発明は上記目的を達成するために、非透水性で上部に開口部がある手提げ部付き袋であり、その袋の一端に網目付きの液体排水口を備えた、手提げ付もみ洗い袋である。
【０００６】  また、手提げ付き袋の上部の開口部を開閉するピンチクリップを備えた、手提げ付もみ洗い袋である。
【０００７】  上部の開口部は、開閉式ではなくねじって止めるため、手提げ部にひもでつり下げたピンチクリップで止める。そのため、袋にはピンチクリップ止め目印が描いてある。
【発明の効果】
【０００８】  外出先での洗濯をする際に、本発明の手提げ付もみ洗い袋では、手提げ部２が付いているので持ち運びに便利であり、蛇口に片方の手提げ部２を掛けて上部の開口部１より、洗濯物、水９と洗剤を投入ができ、手でもみ洗いする際は手提げ部２をフックや棒に掛けての使用ができる効果がある。
【０００９】  また、液体排水口３に網目４が付いているため、米とぎをしても液体排水口３から米８が流れ出ることがない効果がある。
【００１０】  本発明の手提げ付もみ洗い袋には、ピンチクリップ５を備えてありピンチクリップ止め目印７を手でねじって、ピンチクリップ５で押さえることで上部の開口部１からの液体が流れ出ずに止める効果がある。
【００１１】  以上のように周囲を濡らさず、少量の水で洗濯から脱水までできること、米とぎができるなど、一つの袋で多様に使用できる効果がある。
【発明を実施するための最良の形態】
【００１２】  以下、本発明を実施するための形態について説明する。
図１は、使用前の全体の斜視図であり、本発明の手提げ付もみ洗い袋は、上部に手提げ部２と洗濯物を出し入れする開口部１があり、また、袋には、ピンチクリップ止め目印７が描かれ、手提げ部２にはひも６でつり下げたピンチクリップ５が備えている。更に、袋の一端に液体排水口３を備えて、洗濯物の洗った後の汚水を流し出すことができる。
本発明は、以上のような構成である。【００１３】  図２は、洗濯物を入れた状態の斜視図であり、これを使用する時は、片方の手提げ部２を蛇口にかけて、上部の開口部１より、洗濯物、水９と洗剤を投入し、空気を抜きながら袋を数回ねじってピンチクリップ止め目印７を、ピンチクリップ５で止めて、図３のように本発明の手提げ付もみ洗い袋を手でもんだり、足での踏みつけ、棒でたたいたりしながら汚れを落とす。
図４の液体排水口３のキャップを開けて排水を数回繰り返しの作業で、洗濯の終了である。【００１４】  米とぎの場合も洗濯物と同じように、上部の開口部１から米８と水９を入れて、空気を抜きながら袋を数回ねじってピンチクリップ止め目印７を、ピンチクリップ５で止め、図３のようにもみ洗い袋を手でもんだりして米とぎを行い、図４の液体排水口３から水９を排水する。同じ動作を数回実施して米とぎの終了である。
【図面の簡単な説明】
【００１５】
【図１】本発明の斜視図である。
【図２】本発明の使用状態の斜視図である。
【図３】本発明の手もみ状態の斜視図である。
【図４】本発明の液体排水口周囲の断面図である。
【符号の説明】
【００１６】１  開口部
２  手提げ部
３  液体排水口
４  網目
５  ピンチクリップ
６  ひも
７  ピンチクリップ止め目印
８  米
９  水
【図１】
2014200650.tif 000003
【図２】
2014200650.tif 000004
【図３】
2014200650.tif 000005
【図４】
2014200650.tif 000006
(57)【要約】      （修正有）【課題】靴を長時間履いていると、靴の中が湿気を帯び、臭気・水虫の原因となっている。靴の中に発生する湿気を排除する空気ポンプを提供する。【解決手段】靴の踵の底からピストンの先が出るようにピストンを組み込み、歩行するとき靴の踵が地面に接地し地面からピストンに圧力がかかり、ピストンが押し上げられる力で空気ポンプを圧縮し、圧縮された空気が空気排出口から靴内部に排出される構造。【選択図】図２
2014200642.tif 000002
【特許請求の範囲】
【請求項１】
靴の踵に設置したピストンで、靴の踵内部に設置した空気ポンプを動かす装置。
【発明の詳細な説明】
【技術分野】
【０００１】本発明は、靴内部のむれを軽減する空気ポンプに関するものである。
【背景技術】
【０００２】従来靴内部のむれは中敷などを靴内部に入れることで行っていたが、湿気を軽減するには不十分であった。
【発明の概要】
【発明が解決しようとする課題】
【０００３】従来靴の内部の湿気を排除するには中敷を入れる事で行っていたが、湿気を軽減するには不十分であった。
本発明は、以上の問題点を解決するためになされたものである。
【問題を解決するための手段】
【０００４】靴の踵（２）にピストン（３）を組み込み、靴の踵（２）が地面（１４）に接地するときの地面（１４）からの圧力でピストン（３）を押上げ、足のかかと（１２）が空気吸入口（６）を塞ぎ、ピストン（３）で靴の踵（２）の内部に設置したクッション（５）を押し上げ空気室（４）を圧縮し、空気室（４）内部の空気を空気排出口（７）から空気パイプ（８）を通り靴（１）の内部に排出し、靴の踵（２）が地面から離れたときに足の踵（１２）が空気吸入口（６）から離れ、クッション（５）が膨張する力でピストン（３）が下がり空気室（４）が広がることで空気吸入口から空気室（４）に空気が充填される。
【発明の効果】
【０００５】本発明は靴の内部に空気を送るポンプの動力を電池等に頼らずに簡単に得ることが出来、靴の外部のデザインを大きく変えることが無いので、靴の美しいデザインを保つことが出来る。
【図面の簡単な説明】
【０００６】
【図１】本発明の側面図
【図２】本発明の側面カット図
【図３】本発明の空気室の斜視図
【図４】本発明のクッションの斜視図
【図５】本発明の空気室にクッションを組み込んだ斜視図
【図６】本発明のピストンの斜視図
【図７】本発明の空気室にピストンを組み込んだ斜視図
【図８】本発明の靴の踵の底の斜視図
【図９】本発明の靴の底の平面図
【図１０】本発明の靴の踵を地面に接地した時の側面カット図
【図１１】本発明の靴の踵を地面から離した時の側面カット図
【発明を実施するための形態】
【０００７】以下、本発明の実施の形態を説明する。
（い）  靴の踵（２）に空気室（４）クッション（５）空気吸入口（６）空気排出口（７）を設ける
（ろ）  クッション（５）の下部にピストン（３）の上部を密着させる。
（は）  靴の踵（２）にピストンを通す穴（１０）を設け、ピストン（３）の下部が靴の踵（２）より下方に出るように穴（１０）にピストン（３）を通す。
（に）空気排出口（７）より空気パイプ（８）を接続し靴（１）の内部先端まで設ける。
本発明は以上のような構造である。
本発明を使用するときには、歩行の際靴の踵（２）が接地する時、ピストン（３）の下部が一緒に接地し、地面の圧力でピストン（３）が押し上げられ、ピストン（３）の上部によってクッション（５）が押し上げられ空気室（４）が圧縮される、空気吸入口（６）は足の踵（１２）に塞がれ、空気排出口（７）から空気が排出し空気パイプ（８）によって靴〈１〉の内部に空気が排出される
靴の踵（２）が地面から離れるときピストン（３）にかかっていた圧力が無くなりクッション（５）の膨張によってピストン（３）が押し下げられ、靴（１）の内部の足の踵（１２）が空気吸入口から離れ、吸入口（６）から空気室（４）に空気が充填される。
【符号の説明】
【０００８】１靴、２靴の踵、３ピストン、４空気室、５クッション、６空気吸入口  ７空気排出口、８空気パイプ  ９靴の踵の底、１０ピストンを通す穴、１２足の踵
１３空気パイプの空気排出口  １４地面  １５  靴の底
【図１】
2014200642.tif 000003
【図２】
2014200642.tif 000004
【図３】
2014200642.tif 000005
【図４】
2014200642.tif 000006
【図５】
2014200642.tif 000007
【図６】
2014200642.tif 000008
【図７】
2014200642.tif 000009
【図８】
2014200642.tif 000010
【図９】
2014200642.tif 000011
【図１０】
2014200642.tif 000012
【図１１】
2014200642.tif 000013
(57)【要約】      （修正有）【課題】従来のクリーム状の入れ歯安定剤は、入れ歯と歯茎の間に挟着して使用することによって、隙間をなくする効果がある。そのため、入れ歯が、所謂、ガタツクことなく食物をかむことができる。しかしながら、クリーム状の安定剤を介して入れ歯で噛んでも、弾性力が少なく、正常歯の様な感触で噛むことができない。そこで、弾性作用を備える入れ歯安定剤を提供する。【解決手段】入れ歯安定剤に水による膨潤作用がある繊維を混合する。【選択図】なし【特許請求の範囲】
【請求項１】
入れ歯と歯茎の間に挟着して使用する入れ歯安定剤であり、
その入れ歯安定剤に水による膨潤作用がある繊維を混合することを特徴とする入れ歯安定剤。
【請求項２】
請求項１の入れ歯安定剤であって、
入れ歯安定剤１００部に対して、繊維を３部以下の容積で混合することを特徴とする入れ歯安定剤。
【請求項３】
請求項１又は請求項２の入れ歯安定剤であって、
繊維の口径を１ミクロン以下であることを特徴とする入れ歯安定剤。
【発明の詳細な説明】
【技術分野】
【０００１】  本願発明は、良好な感触で噛むことができる入れ歯安定剤に関する。
【背景技術】
【０００２】  市販の入れ歯安定剤として、クリーム状のポリグリップ（アース製薬株式会社の登録商標）、タフグリップ（小林製薬株式会社の登録商標）がある。
又、特許文献１には、コラーゲンペプチドを主成分とする入れ歯安定剤が開示してある。
【先行技術文献】
【特許文献】
【０００３】
【特許文献１】特開２０００−１２６２０５号公報
【発明の概要】
【発明が解決しようとする課題】
【０００４】  前記、従来のクリーム状の入れ歯安定剤は、入れ歯と歯茎の間に挟着して使用することによって、隙間をなくする効果がある。そのため、入れ歯が、所謂、ガタツクことなく食物をかむことができる。
しかしながら、クリーム状の安定剤を介して入れ歯で噛んでも、弾性力が少なく、正常歯の様な感触で噛むことができない。
そこで、本願発明は、係る課題を解消する入れ歯安定剤を提供するものである。
【課題を解決するための手段】
【０００５】  請求項１の入れ歯と歯茎の間に挟着して使用する入れ歯安定剤は、その入れ歯安定剤に水による膨潤作用がある繊維を混合する。
又、請求項２の入れ歯安定剤は、入れ歯安定剤１００部に対して、繊維を３部以下の容積で混合する。
又、請求項３の入れ歯安定剤は、繊維の口径が１ミクロン以下である。
【発明の効果】
【０００６】  本願の入れ歯安定剤は、弾性作用を備えるので、良好な感触で噛むことができる。
【発明を実施するための形態】
【０００７】  本願発明を、入れ歯安定剤として、クリーム状のポリグリップ（アース製薬株式会社の登録商標）を用いて説明する。
この入れ歯安定剤に対して、水による膨潤作用がある繊維を混合する。
この混合割合は、膨潤作用がある繊維の材質、その繊維の口径等に影響するが、入れ歯安定剤の粘着性を損なわない範囲で、且つ、弾性力を備える程度である。
【０００８】  例えば、繊維として、綿棒に使用の綿を使用した場合には、容積比率として、入れ歯安定剤１００部に対して、１０部以内であり、望ましくは３部以内である。又、水による膨潤作用がある繊維は天然と人口繊維があり、その口径は前記したように、従来の入れ歯安定剤に混合したとき、粘着性を損なわず、且つ、弾性作用を備えればよく、望ましくは１ミクロン以下である。
【０００９】  前記した繊維入り入れ歯安定剤を、入れ歯の適宜の箇所に付着して、歯茎に被せて、噛み合い具合を検証したところ、噛むときに弾性力あり、良好な感じで噛むことができた。
入れ歯を歯茎に装着すると、口内の水分により、繊維が膨潤して安定剤との間に弾性作用が生ずるものと推定する。
尚、水分による膨潤作用がある繊維を入れる入れ歯安定剤は、前記したものの他、他社が市販のクリーム状の安定剤に対しても適用できる。
【手続補正書】
【提出日】平成25年7月2日(2013.7.2)
【手続補正１】
【補正対象書類名】明細書
【補正対象項目名】０００８
【補正方法】変更
【補正の内容】
【０００８】例えば、繊維として、綿棒に使用の綿を使用した場合には、容積比率として、入れ歯安定剤１００部に対して、１０部以内であり、望ましくは３部以内である。又、水による膨潤作用がある繊維は天然と化学繊維があり、その口径は前記したように、従来の入れ歯安定剤に混合したとき、粘着性を損なわず、且つ、弾性作用を備えればよく、望ましくは１ミクロン以下である。
(57)【要約】【課題】従来は、使用者が可動の踏み板に乗り、脚の開閉運動を太ももの内側の筋肉だけを使って行うので筋肉の負担が大きく、体力のない人には不向きである。本発明は脚腰を鍛え、併せて身体のバランス感覚を養う脚腰の円運動を行う健康運動器具を提供する。【解決手段】底板の上に３組の軸受ケースＡを設け、踏み板の下に３組の軸受ケースＢを設け、夫々の軸受ケースＢと軸受ケースＡの間に回転アームを設け、クランク状に連結する。回転アームには、回転半径を変えることができる軸受ケースＢ用ボルト穴を複数設け、軸受ケースＢの下部には、衝撃垂直荷重を受けるキャスターを設ける。また、底板の前方にスタンション付きバーを設けた、脚腰の円運動を行う健康運動器具。【選択図】図３
2014200640.tif 000002
【特許請求の範囲】
【請求項１】
（イ）底板の上に３組の軸受ケースＡを設け、踏み板の下に３組の軸受ケースＢを設け、夫々の軸受ケースＢと軸受ケースＡの間に回転アームを設け、クランク状に連結する、
（ロ）回転アームには、回転半径を変えることができる軸受ケースＢ用ボルト穴を複数設け、軸受ケースＢの下部には、衝撃垂直荷重を受けるキャスターを設ける、
（ハ）底板の前方にスタンション付きバーを設ける、
以上の構成よりなる脚腰の円運動を行う健康運動器具。
【発明の詳細な説明】
【技術分野】
【０００１】  本発明は、下半身を円運動させることにより脚腰を鍛え、併せて身体のバランス感覚を養う脚腰の円運動を行う健康運動器具に関するものである。
【背景技術】
【０００２】  従来の脚腰を鍛える運動器具は、使用者が可動の踏み板に乗り、脚の開閉や腰を半回転する反復運動するものが知られている。（例、レッグマジックエックス、レッグマジックサークル）
【発明の概要】
【発明が解決しようとする課題】
【０００３】  従来の脚腰を鍛える運動器具は、使用者が可動する踏み板に乗り、脚の開閉運動を太ももの内側の筋肉だけを使って行うので筋肉の負担が大きく、体力のない人には不向きであった。
本発明は、以上の問題点を解決するものである。
【課題を解決するための手段】
【０００４】  底板の上に３組の軸受ケースＡを設け、踏み板の下に３組の軸受ケースＢを設け、夫々の軸受ケースＢと軸受ケースＡの間に回転アームを設け、クランク状に連結する。
回転アームには、回転半径を変えることができる軸受ケースＢ用ボルト穴を複数設け、軸受ケースＢの下部には、衝撃垂直荷重を受けるキャスターを設ける。また、底板の前方にスタンション付きバーを設ける。
以上の構成よりなる脚腰の円運動を行う健康運動器具。
【発明の効果】
【０００５】  本発明は、脚腰の筋肉強化を図るための運動が、連続した円運動としているので筋肉負担が少なく、運動を継続することによりバランス感覚を養うことができる。
また本発明は、バー・スタンションが底板から取り外せるので、使用しないときは収納スペースが小さくて済む。
【図面の簡単な説明】
【０００６】
【図１】  本発明の全体斜視図
【図２】  本発明の回転アームの平面図
【図３】  本発明の図２Ａ−Ａ線の回転アーム断面図
【図４】  本発明の使用状態を示す斜視図
【発明を実施するための形態】
【０００７】  以下、本発明の実施の形態を説明する。
（イ）図１に示すように、底板（１）の上に３組の軸受ケースＡ（２）を設ける。
（ロ）図１に示すように、踏み板（５）の下に３組の軸受ケースＢ（４）を設ける。
（ハ）図１・図２・図３に示すように、３組の軸受ケースＢ（４）と軸受ケースＡ（２）の間に回転アーム（３）を設け、クランク状に連結する。
（ニ）図２・図３に示すように、回転アーム（３）には、軸受ケースＢ（４）用ボルト穴を複数設ける。
（ホ）図３に示すように、軸受ケースＢ（４）の下部には、使用者が踏み板（５）に過大な荷重をかけた場合の荷重を受けるキャスター（１４）を設ける。
（ヘ）図１に示すように、底板（１）の前方にスタンション（７）付きバー（６）を設ける。
本発明は、以上のような構造である。
本発明を使用するときは、図４に示すようにバー（６）を両手で握り、両足の間隔を開け、踏み板（５）に乗る。踏み板（５）は、軸受ケースＡ（２）を軸として回転できるので、腰と膝の動きで円運動を起こし、慣れたらバー（６）から両手を離し、リズムをとりながら円運動を行う。
さらに、軸受ケースＢ（４）の位置を軸受ケースＡ（２）から離してセットする毎に回転半径が大きくなり、踏み板１回転当たりの円周長さが増えるので、その分筋力を高める効果が大きくなる。
【符号の説明】
【０００８】  １、      底板
２、      軸受ケースＡ
３、      回転アーム
４、      軸受ケースＢ
５、      踏み板
６、      バー
７、      スタンション
８、      バー高さ調整ボルト
９、      軸受ａ
１０、      軸受ｂ
１１、      ボルト・ナットａ
１２、      ボルト・ナットｂ
１３、      滑り止めシート
１４、      キャスター
１５、      滑り止めパッド
【図１】
2014200640.tif 000003
【図２】
2014200640.tif 000004
【図３】
2014200640.tif 000005
【図４】
2014200640.tif 000006
(57)【要約】【課題】  ファスナーのスライダーを引き上げて閉める際、スライダーの両上端部とエレメントが交差する位置で布地が挟み込まれる。これを解決するために考案されたのが、特許文献１である。挟み込みを防止するため、スライダーの両上端部を横に突出させ、扇状形にしている。  スライダーとエレメントの交差点をカバーするには、スライダーの上端部を上の方へ凸状にする必要があり、扇状形では十分に布地の挟み込みを防止できない。また、スライダーの表裏が同形でない複雑な形状をもち、製品化するのが難しい。  本発明は、特許文献１の不備を補い、衣服の布地がファスナーに挟み込まれる現象を解決するファスナーのスライダーを提供する。【解決手段】スライダーの上部両端の形状をハート形（凸状）にすることで、衣服の布地はエレメントとスライダー（上部両端）の交差点へ侵入することができず、布地の挟み込みが起きないファスナーのスライダー。【選択図】図５
2014200639.tif 000002
【特許請求の範囲】
【請求項１】
スライダー（ファスナー）の上部両端の形状を従来の菱形から凸状に変えることで、テープのエレメントとスライダーがつくる隙間が覆い隠されるため、布地の侵入がなくなり、挟み込みを完全に防止することができる表裏凸状スライダー
【請求項２】
表裏上部両端がハート型の請求項１のスライダー
【請求項３】
表裏上部両端がレモン、ナシ、りんごなど、フルーツの形状、チューリップ、あやめ、さくらなど、花の形状をもつ請求項１のスライダー
【請求項４】
裏面の上端部のみが請求項１のスライダー
【発明の詳細な説明】
【技術分野】
【０００１】  本発明は、バッグ、衣服、カバンなどの開閉のために取り付けられるファスナーのスライダーに関するものである。
【背景技術】
【０００２】  ファスナーは、開閉する際に衣服の布地を挟み込んで停止することが頻繁に起こる。
特に、ダウンコートなどの厚みのある衣服で起こりやすい。
衣服の布地の挟み込みを防止するため、従来のスライダーの上部両端を左右方向に突き出た扇状に変化させた。（特許文献１）
【先行技術文献】
【特許文献】
【０００３】
【特許文献１】特開２００２−１９１４１４号公報
【発明の概要】
【発明が解決しようとする課題】
【０００４】  ジャンパー、ダウンコートなどの衣服を着たあと、ファスナーのスライダーを引き上げて閉める際、スライダーの上部両端とテープのエレメントが交差する位置で布地が挟み込まれて、スライダーが上下に動かなくなる。
これを解決するために考案されたのが、特許文献１である。挟み込みを防止するために、スライダーの上部両端を横に突出させた扇状のスライダーを考案している。
スライダーとエレメントの交差点をカバーするには、スライダーの上端部を上の方へ凸状にする必要があり、横に突き出た扇状形では十分に布地の挟み込みを防止できない。
また、スライダーの表裏が同形でなく、裏面が大きく、その先端が裏の方へ反り返った非常に複雑な形状であり、製品化するのが難しい。
この発明は出願審査未請求で、特許出願が取り下げになった。
本発明は、特許文献１の不備を補い、ファスナーへの布地の挟み込みを完全に解決するためになされたものである。
【問題を解決するための手段】
【０００５】  スライダーの上部両端の形状を従来の菱形から凸状にすることで、エレメントとスライダー（上部両端）の交差点が完全に覆い隠され、布地はエレメントとスライダー（上部両端）の交差点へ侵入することができず、挟み込みを完全に防止できる。
布地の挟み込みの殆どは、スライダーの裏側で起こるので、スライダー（上部両端）の裏面だけを凸状にすればよいが、全体のバランスを考えて両面を凸状にした。
【発明の効果】
【０００６】  ファスナーを開閉する時、布地のファスナーへの挟み込みを完全に防止できる。また、形状は従来形に近いので、製品にする際に鋳型を作るのが簡単である。
【図面の簡単な説明】
【０００７】
【図１】従来形スライダーの表面図
【図２】従来形スライダーの側面図
【図３】本発明のハート形スライダーの表面図
【図４】本発明のハート形スライダーの側面図
【図５】本発明のハート形スライダーの裏面図
【発明を実施するための形態】
【０００８】  図５のように、ファスナーのスライダー（２）の上部両端の形状を凸状にする。たとえば、ハート形（６Ａ，６Ｂ）、フルーツ形、フラワー形などが挙げられる。
ファスナーが衣服の布地を挟み込む部分は、エレメント（５）と従来形スライダーの上部両端（１Ａ，１Ｂ）がつくる僅かな隙間である。スライダーの上部両端を凸型（６Ａ，６Ｂ）にして、その隙間を覆い隠せば、布地の隙間への侵入はなくなり、挟み込みを完全に防止できる。
衣服の縫い方の関係上、布地のたるみはスライダー（２）の裏側で起りやすく、挟み込みも殆どスライダー（２）の裏側で起こる。それゆえ、スライダー（２）の上部両端の形状を凸状（６Ａ，６Ｂ）にするのは、裏面だけでよいが、図３のように表面も凸状（６Ａ）にした方が美しい形状になる。
【符号の説明】
【０００９】１Ａ  従来形上端部・表面、１Ｂ  従来形上端部・裏面、２  スライダー、３  取っ手、４  テープ、５  エレメント、６Ａ  ハート形上端部・表面、６Ｂ  ハート形上端部・裏面
【図１】
2014200639.tif 000003
【図２】
2014200639.tif 000004
【図３】
2014200639.tif 000005
【図４】
2014200639.tif 000006
【図５】
2014200639.tif 000007
(57)【要約】      （修正有）【課題】地肌に優しく、ブラシの清掃が簡単であるシャンプーブラシを提供する。【解決手段】ブラシ部１と把持部２からなり、両者は短手方向の一端に取り付けた曲折部３により結合して他端側を開閉自在に構成し、曲折部３の反対側に設けた把持部２の側端部の引っ掛け部４をブラシ部１の側面部の溝５にはめ込みできる構造とすることで、ブラシ部１と把持部２が曲折部３により結合して開閉自在であり、把持部２を持ち上げ、ブラシ部１の表側を覆う形でタオルをブラシに巻きつけ、タオルの両端の残余部分をブラシ部１と把持部２で挟み込むことでタオルをブラシ部１に固定することができる。これでブラッシングすると、ブラシ部１と地肌の間にタオルが入るため、地肌に優しく、タオルに洗浄成分が付着しているため、頭皮の皮脂汚れをより一層取ることができ、さらに髪とブラシ部が直接当たらないため髪が絡まることがないのでブラシ部１の清掃が簡単である。【選択図】図２
2014200655.tif 000002
【特許請求の範囲】
【請求項１】
ブラシ部と把持部からなり、両者は短手方向の一端に取り付けた曲折部により結合して他端側を開閉自在に構成してあり、曲折部の反対側に設けた把持部の側端部の引っ掛け部をこれまた曲折部の反対側に設けたブラシ部の側面部の溝にはめ込みできる構造とし、ブラシ部をタオルで覆い固定できることを特徴としたシャンプーブラシ。
【発明の詳細な説明】
【技術分野】
【０００１】本発明は、シャンプー時ブラッシングするシャンプーブラシに関する。
【背景技術】
【０００２】シャンプー時ブラッシングするときにプラスチック等の樹脂が地肌にあたり痛く、また頭皮の皮脂汚れもあまり取れなかった。
【発明の概要】
【発明が解決しようとする課題】
【０００３】上記の実状に鑑みこの発明はブラシ部と把持部からなり、両者は短手方向の一端の曲折部により結合して他端側を開閉自在に構成し、曲折部の反対側に設けた把持部の側端部の引っ掛け部をこれまた曲折部の反対側に設けたブラシ部の側面部の溝にはめ込みできる構造としたことにより、ブラシ部と把持部が曲折部により結合して開閉自在であるため、把持部を持ち上げブラシ部の表側を覆う形でタオルをブラシに巻きつけ、タオルの両端の残余部分をブラシ部と把持部で挟み込み、ブラシ部の側面部の溝に、把持部側端部に設けた引っ掛け部をはめ込むことでタオルがブラシに固定することができ、これでブラッシングすることにより、ブラシと地肌の間にタオルが入るため、地肌に優しく、またタオルに洗浄成分が付着しているため、頭皮の皮脂汚れをより一層取ることができ、さらに髪とブラシが直接当たらないため髪が絡まることがないのでブラシの清掃が簡単であるシャンプーブラシを提供することをその目的とするものである。
【課題を解決するための手段】
【０００４】上記目的を達成するために本発明に関するシャンプーブラシは、ブラシ部と把持部からなり、両者は、短手方向の一端に取り付けた曲折部により結合して他端側を開閉自在に構成し、曲折部の反対側に設けた把持部の側端部の引っ掛け部をこれまた曲折部の反対側に設けたブラシ部の側面部の溝にはめ込みできる構造とした。【０００５】以下本発明に係るシャンプーブラシについて説明する。本発明のシャンプーブラシによれば、ブラシ部と把持部が曲折部により結合して開閉自在であるため、把持部を持ち上げ、ブラシ部の表側を覆う形でタオルをブラシに巻きつけ、タオルの両端の残余部分をブラシ部と把持部で挟み込みブラシ部の側面部の溝に、把持部側端部に設けた引っ掛け部をはめ込むことでタオルがブラシに固定することができ、これでブラッシングすることにより、ブラシと地肌の間にタオルが入るため、地肌に優しく、またタオルに洗浄成分が付着しているため、頭皮の皮脂汚れをより一層取ることができ、さらに髪とブラシが直接当たらないため髪が絡まることがないのでブラシの清掃が簡単である。
【発明の効果】
【０００６】ブラシと地肌の間にタオルが入るため地肌に優しく、またタオルに洗浄成分が付着しているため、頭皮の皮脂汚れをより一層取ることができ、さらに髪とブラシが直接当たらないため髪が絡まることがないのでブラシの清掃が簡単である。
【図面の簡単な説明】
【０００７】
【図１】本発明シャンプーブラシの一実施例を示す平面図
【図２】本発明シャンプーブラシの一実施例を示すＡ−Ａ断面図
【図３】本発明シャンプーブラシの一実施例を示す左側面図
【図４】本発明シャンプーブラシの一実施例を示す正面図
【図５】本発明シャンプーブラシの一実施例を示す背面図
【図６】本発明の把持部を持ち上げタオルを巻きつけている左側面図
【図７】本発明の把持部を持ち上げタオルを巻きつけている平面図
【発明を実施するための形態】
【０００８】本発明を実施するための形態を図面に基づいて説明する。
【実施例１】
【０００９】図においてシャンプーブラシ本体８は、ブラシ部１と把持部２からなり、両者は短手方向の一端に設けた曲折部３により結合して他端側を開閉自在に構成し、曲折部３の反対側に設けた把持部２の側端部の引っ掛け部４をこれまた曲折部３の反対側に設けたブラシ部１の側面部の溝５にはめ込みできる構造としたことにより、ブラシ部１と把持部２が曲折部３により結合して開閉自在であるため、把持部２を持ち上げブラシ部１の表側を覆う形でタオル６をブラシ１に巻きつけ、タオルの両端の残余部分７をブラシ部１と把持部２で挟み込みブラシ部１の側面部の溝５に、把持部側端部に設けた引っ掛け部４をはめ込むことでタオル６がブラシ１に固定することができ、これでブラッシングすることにより、ブラシと地肌の間にタオルが入るため、地肌に優しく、またタオルに洗浄成分が付着しているため、頭皮の皮脂汚れをより一層取ることができ、さらに髪とブラシが直接当たらないため髪が絡まることがないのでブラシの清掃が簡単である。
【産業上の利用可能性】
【００１０】本発明は、頭皮を優しく洗うことで頭皮湿疹等をできなくすることができ、またタオルに洗浄成分が付着しているため、頭皮の皮脂汚れをより一層取ることができ、さらにブラシの清掃時間を短縮することができる。
【符号の説明】
【００１１】１ブラシ部
２把持部
３曲折部
４引っ掛け部
５溝
６タオル
７タオルの両端の残余部分
８シャンプーブラシ本体
【図１】
2014200655.tif 000003
【図２】
2014200655.tif 000004
【図３】
2014200655.tif 000005
【図４】
2014200655.tif 000006
【図５】
2014200655.tif 000007
【図６】
2014200655.tif 000008
【図７】
2014200655.tif 000009
(57)【要約】【課題】椅子に座ったときに姿勢が悪くなりがちなため、正しい姿勢を保てるよう矯正するベルトを提供する。【解決手段】長さを調整出来るベルト▲１▼に、伸縮性のある布又はゴム▲４▼を渡すことにより、人と椅子が一体化し、無理なく正しい姿勢を長時間保てることを特徴とする。【選択図】図２
2014200658.tif 000002
【特許請求の範囲】
【請求項１】
（イ）  椅子の背もたれにベルト▲１▼を回し、伸縮性のある布又はゴム▲４▼で挟む。
（ロ）  椅子に人が正しい姿勢で座り、長さを調整して▲２▼と▲３▼を繋ぐ。
以上の構成によりなる座姿勢矯正ベルト
【発明の詳細な説明】
【技術分野】
【０００１】この発明は、椅子に座った状態で猫背になるのを防ぐ座姿勢矯正ベルトに関するものである。
【背景技術】
【０００２】従来、姿勢矯正ベルトは直接身体に巻きつける物だった。
【発明の開示】
【発明が解決しようとする課題】
【０００３】これまでの物は、次のような欠点があった。
（イ）  身体に直接姿勢矯正ベルトを着け、上にシャツ等を着るため、簡単に取り外す事        が出来ない。
（ロ）  姿勢矯正ベルトのゴムが大抵の場合、猫背にならないよう伸縮性の強い物で作ら        れているため、身体に無理が生じ、着けていることが苦痛になってくる。
（ハ）  １日中正しい姿勢で固められて行動すること自体に無理がある。
本発明は、以上のような欠点をなくすためになされたものである。
【課題を解決するための手段】
【０００４】長さを調整出来るベルト▲１▼に、位置の可動可能なテープアジャスターに取り付けた伸縮性のある布又はゴム▲４▼を渡す。
本発明は、以上の構成よりなる座姿勢矯正ベルトである。
【発明の効果】
【０００５】（イ）  椅子に背筋をしっかりと伸ばし、背もたれに密着させる。座姿勢矯正ベルトを臍        より上の位置でたるみが無いよう取り付ければ、椅子と一体化し、前屈みになる        、猫背になるといった体勢になりにくくなり、良い姿勢を保つことが出来る。
（ロ）  ゴムで引っ張られている訳ではないので身体が痛くなることはない。
（ハ）  この座姿勢矯正ベルトはあくまでも座っている時だけであり、移動したい時は片        手でバックルを外すことができため、数秒で椅子から離れられる。よって、緊急        時にも問題はない。
【発明を実施するための最良の形態】
【０００６】以下、本発明を実施するための最良の形態について説明する。
サイドリリースバックル▲２▼▲３▼の付いた、長さの調整出来るベルト▲１▼の中にテープアジャスター▲５▼を２箇所入れ、伸縮性のある物で結ぶ▲４▼。
ベルト▲１▼と伸縮性のある布又はゴム▲４▼の間に椅子の背もたれを差し込むと、ベルトが完全ではない程度固定される。
椅子に背もたれまで深く座り、背筋を伸ばす。臍上部位置にベルトを巻き、サイドリリースバックル▲２▼▲３▼を身体と隙間の無い締まる長さに調整し、▲２▼・▲３▼をはめ込む。
本発明は、以上のような構造で、これを使用すれば、ベルトで人と椅子と一体化され猫背にならないよう姿勢を正すことが出来る。
また、背もたれを▲１▼と▲４▼で挟むことにより、サイドリリースバックル▲２▼▲３▼を外して立ち上がった際に床にベルト▲１▼が落ちるのを防ぐ。
【図面の簡単な説明】
【０００７】
【図１】本発明の斜視図である。
【図２】本発明の椅子に設置した斜視図である。
【符号の説明】
【０００８】１  ベルト
２  サイドリリースバックル
３  サイドリリースバックル
４  伸縮性のある布又はゴム
５  テープアジャスター（布又はゴム取り付け用）
６  テープアジャスター（ベルト長さ調整用）
【図１】
2014200658.tif 000003
【図２】
2014200658.tif 000004
(57)【要約】【課題】  スリッパ底の中央部を土踏まずに形成し、踵部と底部との間にクッション性スポンジを設け、歩きやすくするための土踏まずスリッパを提供する。【解決手段】  底体中央部上に、プラスチック材からなる、弓形状の土踏まずを備えた、スリッパ本体と、前記スリッパ本体の踵部と底部との間に、踵体に形成した両面不織布と、片面不織布を接着してなる、クッション性スポンジを差し込み設け、扁平体底部を土踏まずに形成することを特徴とする土踏まずスリッパ。【選択図】図１
2014200656.tif 000002
【特許請求の範囲】
【請求項１】
底体中央部上に、プラスチック材からなる、弓形状の土踏まずを備えた、スリッパ本体と、前記スリッパ本体の踵部と底部との間に、踵体に形成した両面不織布と、片面不織布を接着してなるクッション性スポンジを差し込み設け、扁平体底部を土踏まずに形成することを特徴とする土踏まずスリッパ。
【発明の詳細な説明】
【技術分野】
【０００１】  本発明は、スリッパ底の中央部を土踏まずに形成し、踵部と底部の間に、クッション性スポンジを設け、歩きやすくするための土踏まずスリッパに関するものである。
【背景技術】
【０００２】  従来、スリッパを土踏まず足に使用すると同時に扁平足となり、体重が脚全体に加重され影響を及ぼしていたのである。
【発明の概要】
【発明が解決しようとする課題】
【０００３】そのために、次のような問題点があった。
（イ）老化現象による筋肉の衰えにより、足を上げずに引摺り徒歩となり、家中に於いて、敷居のつまづきによる骨折事故が、毎年増加の傾向にあると統計されている。
（ロ）１例として、扁平足スリッパによる影響は、夜中における、フローリング床を叩くペタペタ音が不愉快さを感じさせていた。
本発明は、以上の問題点を解決しようとするものである。
【課題を解決するための手段】
【０００４】  底体中央部上に、プラスチック材からなる、弓形状の土踏まずを備えた、スリッパ本体と、前記スリッパ本体の踵部と底部との間に、踵体に形状した両面不織布と片面不織布を接着してなるクッション性スポンジを差し込み設け、扁平体底部を土踏まずに形成する。以上を特徴とする土踏まずスリッパである。
【発明の効果】
【０００５】  本発明は、土踏まず底を形成するにより、高齢者の引摺り徒歩が軽やかに足が上り、危険な段差を感知するにより、安易に跨ぐ効果を発揮する。また、女性等に対しては、スリッパのペタペタ音も土踏まずに改良するにより、前記音も吸収され浮足徒歩となり、静音の高い土踏まずスリッパを提供できる。
【図面の簡単な説明】
【０００６】
【図１】  本発明の斜視図
【図２】  本発明の一部切欠き分解斜視図
【発明を実施するための形態】
【０００７】以下、本発明の実施の形態について説明する。
（イ）土踏まずに形どられた、プラスチック板（１）を、底体（２）の土踏まず上面部に接着する。
（ロ）踵部（４）と底部（２）を、縫い合わせのない開口部（９）を設ける。
（ハ）開口部（９）の中に両面不織布のスポンジ（６）と、片面不織布スポンジ（６ａ）を、二枚合わせに形成して設ける。
（ニ）不織布（５）の尖鋭部（７）を形成し、踵部（４）と底部（２ａ）の間に差し込み、上記スポンジを取り付ける。
本発明は以上の構成よりなっている。
本発明を使用するときは、古い慣習に捕らわれることなく、必ず揃いのスリッパを履くことを心掛けることである。例を示すと、スリッパ本体（８）を、右足に履き左足に従来のスリッパを履いた場合、先に敷居を、スリッパ本体（８）で跨ぐと、次の扁平足スリッパが足が上らず敷居に、けつまずく恐れが実験上解明されている。そこでスリッパ本体（８）の底部を土踏まず（３）形にするために、厚さ２ｍｍのプラスチック板（１）を土踏まずに形成し、前記土踏まず上に接着する。また、底部（２ａ）と、踵具（４）の開口部（９）の中に上述のスポンジを差し込みすると同時に、土踏まず形成がクッション化される。また、クッション性踵（４）に活用されるために、浮足状態となり、引摺り徒歩を普通徒歩同様に効果が得られる。
【符号の説明】
【０００８】１    プラスチク板
２    底体
２ａ  底部
３    土踏まず
４    踵部
５    不織布
６    スポンジ
６ａ  スポンジ
７    尖鋭部
８    スリッパ本体
９    開口部
５ａ  不織布
【図１】
2014200656.tif 000003
【図２】
2014200656.tif 000004
(57)【要約】      （修正有）【課題】ワイシャツ・ドレスシャツ・カジュアルシャツの襟先ボタンの宝飾品、キャラクター小物類などのアクセサリーを手軽に取り付け、取替えができるボタンダウンシャツの衿先ボタンに取り付けるアクセサリーを提供する。【解決手段】装飾体で造られた小型のアクセサリー本体１の背面に、L字型で中央部にボタン付け用のボタン糸が通る切り込み４が入ったU字状の取り付けフック２を取り付け、更に脱落防止のため、装飾体1の背面中央部に薄い滑り止めシート３を貼り付けたことを特徴とする。【選択図】図２
2014200465.tif 000002
【特許請求の範囲】
【請求項１】
装飾体で造られた小型のアクセサリー本体１の背面に、L字型で中央部にボタン付け用のボタン糸が通る切り込み４が入ったU字状の取り付けフック２を取り付け、更に脱落防止のため、アクセサリー部の背面の中央に薄い滑り止めシート３を貼り付けたことを特徴とする。ボタンダウンシャツの衿先ボタンに取り付けるアクセサリー。
【発明の詳細な説明】
【技術分野】
【０００１】
本発明は、ワイシャツ・ドレスシャツ・カジュアルシャツの襟先ボタンに宝飾品、キャラクター小物類などのアクセサリーを手軽に取り付け、取替えができるボタンダウンシャツの衿先ボタンに取り付けるアクセサリーに関するものである。
【背景技術】
【０００２】
近年、エコを目的としクールビズ、ウォームビズなどネクタイの使用頻度が少なくなり、ワイシャツの衿もデザイン性を重要視するようになり様々なデザインのボタンダウンシャツが増え、それに伴いボタンダウンに使用する襟先ボタンもファッション性を重要視するようになり、カラフルなボタンを使用したものが多くなってきた。
【０００３】
その為にいくつかの装飾用ボタンカバーが開発されている。しかし、これらのボタンカバーはボタンを覆い隠すためボタンの形状に合わせた円筒形で、前立て及び袖口部分に使用している１１．５ｍｍから１３．０ｍｍの中型のボタンを対象としている為、中型で重量があり衿先釦に取り付けるには不向きである。
【先行技術文献】
【特許文献】
【０００４】
【特許文献１】実開平６-６２８０８
【特許文献２】特開平１０-３０４９５
【発明の概要】
【発明が解決しようとする課題】
【０００５】
解決しようとする問題点は、ボタンダウンシャツの衿先に使用している小型のボタンに取り付けるという目的に対して、ボタンカバーは構造が複雑な為、中型で重量があり適していない点である。
【課題を解決するための手段】
【０００６】
上記のような目的を達成するために本考案は、以下のような技術的手段からなる。
８．０ｍｍから１０．０ｍｍの小型の装飾体１の背面に、L字型で中央部にボタン付け用のボタン糸６が通る切り込み４が入ったU字状の取り付けフック２を装飾体の端に取り付け、更に装飾体１の背面の中央に脱落防止のため、薄い滑り止めシート３を貼り付けたことを特徴とする。
【発明の効果】
【０００７】
以上に記述したように、本発明の衿先ボタンに取り付けるアクセサリーの構造を前記のように構成したことにより以下のような効果を生ずることが出来る。
【０００８】
脱落防止のために薄い滑り止めシートを張り付けることによりシンプルな構造であっても外れにくくなっています。
【０００９】
ボタンの製造工場以外のアクセサリーを主とする工場でも生産可能で、素材デザイン等により高価な貴金属を使用した小ロット生産から、樹脂（プラスチック）を使用した成形品での大量生産を行うことにより大幅な生産コストの削減が可能である。
【００１０】
ボタンの材質（高硬度・強度不足）として適さない素材や加工が困難な素材での製造が可能である
【００１１】
取り外し・取替えが容易に短時間で可能であり、軽量で取り付けるボタンダウンシャツ、ドレスシャツなどの型くずれを軽減することが出来、また取り外して洗濯やクリーニングすることが出来、従来のボタンと違い高価素材を使用することが出来る。
【図面の簡単な説明】
【００１２】
【図１】本発明のボタンダウンシャツの衿先ボタンに取り付けるアクセサリーの側面図を示す
【図２】本発明のボタンダウンシャツの衿先ボタンに取り付けるアクセサリー背面図を示す
【発明を実施するための形態】
【００１３】
本発明は取り付ける衿先ボタンに合わせ小型でかつ軽量であることが重要であり、下記の様な形態になる。まず衿先ボタンに合わせた８．０ｍｍから１０．０ｍｍの大きさの装飾体の背面にL字型で中央部にボタン付け用のボタン糸６が通る切り込み４が入ったU字状の金属及び樹脂で形成された取り付けフック２を取り付ける。更に脱落防止のため、装飾体の中央に薄い滑り止めシートを張り付ける。
【００１４】
上記のように構造を簡素化することにより、従来製品に比べ小型で軽量化が可能になり、ボタンダウンシャツの衿先ボタンのような小型のボタンに装着が可能になる。また、薄いシリコンやウレタン、ゴムすべり止めシートを使用することにより外れにくくなっている。
【００１５】
また、ボタンの製造工場以外のアクセサリーを主とする工場でも生産可能で、素材デザイン等により高価な貴金属を使用した小ロット生産から、樹脂（プラスチック）を使用した成形品での大量生産を行うことにより大幅な生産コストの削減が可能である。
【００１６】
更に、ボタンの材質（高硬度・強度不足）として適さない素材や加工が困難な素材での製造が可能であり、またデザイン、形状も自由に変更が可能である
【符号の説明】
【００１７】
１装飾体
２取り付けフック
３滑り止めシート
４ボタン糸ガイド用切り込み
【図１】
2014200465.tif 000003
【図２】
2014200465.tif 000004
(57)【要約】【課題】  従来行はれている、高温の棒状ワークの両端を同時にＣ形状に曲げる工法及び装置は、第６図に示す如く、ラックギアーの駆動により、ピニオンギアーを回転させ、その回転により両端を曲げている。  ラックギアーの駆動には、高圧のエアーを必要とし，コンプレッサーとエアー配管の費用等，周辺設備も高額となり、装置の移動にも制約があった。【解決手段】  装置の駆動に、ボールネジを利用，ボールネジ軸９の回転によリ、ボールネジナット１０に連結された移動台１１のスライド移動により、移動台１１にセットされた高温棒状のワーク２を、第一段階は固定ローラー１２の通過にて両端を曲げ，更なる移動にて、移動台１１がＬ形レバー１５の一辺を押し込むことにより、Ｌ形レバー１５の他の一辺にてワークの両端を押し込み、Ｃ形状に曲げる。【選択図】図５
2014200843.tif 000002
【特許請求の範囲】
【請求項１】
移動台にセットした高温棒状のワークが、ボールネジ軸の回転によりスライド移動し、該ワークの両端が固定されたローラーに阻止され、通過に伴い該ワークの両端を曲げ、更に移動し，移動台がＬ形レバーの一辺に接触、押し込むことにより、Ｌ形レバーの他の一辺にて該ワークの両端をＣ形状に曲げることを特徴とする成形工法及び装置。
【発明の詳細な説明】
【技術分野】
【０００１】  本発明は、両端がＣ形状に曲がった型打ち鍛造品に於いて，強度確保のため，形状に沿った鍛造フローラインを設ける予備成形の工法に関するものである。
【背景技術】
【０００２】  型打ち鍛造前のワーク予備成形において、高温棒状のワーク２の両端を、同時にＣ形状に曲げる従来の工法の概略は、図６によるもので、曲げ位置駒１にセットされた該ワーク２は、ラックギアー３により回転するピニオンギアー４のレバー５に設けたローラー６の円運動により、両端を同時にＣ形状に曲げる方法がとられている。
【発明の概要】
【発明が解決しようとする課題】
【０００３】  従来の装置は、ギアー類の作動により、構造が複雑となり、装置の，製作製作費用が高く、叉、エアーシリンダー７により動かすので，高圧のエアーが必要となり、付帯設備に費用が掛り、装置の移動にも制約があった。【０００４】  本発明は、上記課題に鑑みなされたもので、ギアー類とエアーシリンダーを使用せず、構造の単純化による装置費用の低減を図り，装置の移動を容易にした，高温棒状のワーク２の曲げ加工方法及び装置を提供する。
【課題を解決するための手段】
【０００５】  駆動を、ギアードモーター８と連結するボールネジ軸９の回転によるボールネジナット１０の水平移動により行う。【０００６】  高温棒状のワーク２を取り付けた移動台１１をスライド移動させ、図３及び図４に示す如く，該ワーク２の両端が、固定ローラー１２に阻止されて、通過に伴い両端を曲げ，更に移動して移動台１１の先端面がＬ形レバー１３の一辺に接触、押し込むむことにより、図５の如く、Ｌ形レバー１３の他の一辺にて該ワーク２の両端をＣ形状に曲げる。
【発明の効果】
【０００７】  従来の曲げ装置の駆動は、エアーコンプレッサーの付帯設備が必要であるが、本発明による工法の駆動は、ギアードモーター８に連結するボールネジ軸９の回転にて行うので、電気配線の得られる所であれば，装置の移動は簡単に出来、装置の製作費用も安くなる。
【図面の簡単な説明】
【０００８】
【図１】  本発明による装置の概略平面図
【図２】  本発明による装置の一部断面側面概略図
【図３】  本発明による途中第一作動段階を示す概略平面図
【図４】  本発明による第一作動段階を示す概略平面図
【図５】  本発明による最終段階を示す概略平面図
【図６】  従来の曲げ成形の要領を示す概略平面図
【発明を実施するための形態】
【０００９】  第１図は、本発明による熱間鍛造曲げ加工装置の概略概略図で，本体平面部１３に固定ローラー１２とＬ形レバー１５を設ける。
【００１０】  移動台１１は、ワーク装着部１４と曲げ位置駒１からなり、ボールネジナット１０と一体に連結されていている。
【００１１】  作動について説明すると、高温棒状のワーク２を，移動台１１のワーク装着部１４にセットし、ギアードモーター８を起動する。      起動に伴いボールネジ軸９が回転を行い、ボールネジナット１０に連結する移動台１１はスライド移動を行う。
【００１２】  移動台１１の移動により、該ワーク２の両端が図３に示す如く、固定ローラー１２に阻止され曲がり、更に、通過することにより図４の如く第一段階の曲げが終わる。
【００１３】  移動台１１が更に移動し、図５に示す如く，移動台１１の先端角部がＬ形レバー１５の一辺に接触し，更に押し込むことにより、該ワーク２の両端は、Ｌ形レバー１５の他の一辺によりＣ形状に曲げられ終了する。
【符号の説明】
【００１２】１…曲げ位置駒            １０…ボールネジナット
２…高温棒状のワーク      １１…移動台
３…ラックギアー          １２…固定ローラー
４…ピニオンギアー        １３…本体平面部
５…レバー                １４…ワークセット部
６…ローラー              １５…Ｌ形レバー
７…エアーシリンダー
８…ギアードモーター
９…ボールネジ軸
【図１】
2014200843.tif 000003
【図２】
2014200843.tif 000004
【図３】
2014200843.tif 000005
【図４】
2014200843.tif 000006
【図５】
2014200843.tif 000007
【図６】
2014200843.tif 000008